(57)【特許請求の範囲】
【請求項１】
刈刃を着脱可能に保持するための刈刃保持盤が、出力軸に取付けられる上側盤とこの上側盤に着脱可能に装着される下側盤とからなり、かつ前記上下側盤の両合着盤面の円軌道上に位置する係合部材を設けて前記下側盤の回転方向の位置決めと軸方向への抜止めならびに回転力の伝達を行うようにした動力刈払機において、上方から操作できるように前記上側盤の上面にあって前記上側盤の合着盤面から前記下側盤の合着盤面に係合して前記下側盤の反転を防止する反転止め部材を備え、この反転止め部材を係止爪部とこれを先端で支持するアーム部とで構成し、前記係止爪部が前記下側盤に設けた係合部材である係止部に形成した突起部に係合することにより反転が阻止されるとともに、前記係止爪部を下方に押して前記アーム部をたわませることにより前記係止爪部が前記突起部を乗り越えて前記上側盤が前記下側盤に対して離脱可能となることを特徴とする動力刈払機。
【請求項２】
前記アーム部を上面において円軌道上に沿って湾曲して反回転方向に突出するようにしたことを特徴とする請求項１記載の動力刈払機。
【発明の詳細な説明】
【０００１】
【発明の属する技術分野】
この発明は、刈刃としてナイロンコードなどを使用する動力刈払機に関するものである。
【０００２】
【発明が解決しようとする課題】
従来のこの種の動力刈払機では、刈刃を着脱可能に保持するための刈刃保持盤が、出力軸に取付けられる上側盤とこの上側盤に着脱可能に装着される下側盤とからなっているので、上側盤に対して下側盤の回転方向の位置決めと軸方向への抜止めならびに回転力の伝達を行うための係合部材と、下側盤の反転を防止する反転止め部材とが必須構成になっている。
【０００３】
前記反転止め部材は下側盤を上側盤から外すときに外部からそのたわみ力を利用して操作するので、従来の反転止め部材は構造上刈刃保持盤の外周側面あるいは下面に配置されている。そのために作業中に刈刃保持盤の外周側面あるいは下面にある反転止め部材に石が当たって破損したり，こすれて摩耗して破損したりするし、または反転止め部材の周囲のすき間に草が引っかかったり土がつまったりして反転止め部材の動きが悪くなって下側盤を外しにくく刈刃の交換がしにくくなるという問題点がある。
【０００４】
【課題を解決するための手段】
請求項１の発明に係る動力刈払機はかかる問題点を解消するためになされたもので、刈刃を着脱可能に保持するための刈刃保持盤が、出力軸に取付けられる上側盤とこの上側盤に着脱可能に装着される下側盤とからなり、かつ前記上下側盤の両合着盤面の円軌道上に位置する係合部材を設けて前記下側盤の回転方向の位置決めと軸方向への抜止めならびに回転力の伝達を行うようにした動力刈払機において、上方から操作できるように前記上側盤の上面にあって前記上側盤の合着盤面から前記下側盤の合着盤面に係合して前記下側盤の反転を防止する反転止め部材を備え、この反転止め部材を係止爪部とこれを先端で支持するアーム部とで構成し、前記係止爪部が前記下側盤に設けた係合部材である係止部に形成した突起部に係合することにより反転が阻止されるとともに、前記係止爪部を下方に押して前記アーム部をたわませることにより前記係止爪部が前記突起部を乗り越えて前記上側盤が前記下側盤に対して離脱可能となることを特徴とする。このようなものであれば、反転止め部材を刈刃保持盤の上面に配置できるようにすることにより、作業中に石が当たって反転止め部材が破損したり，こすれて摩耗して破損したりするのを防ぐと共に、反転止め部材の周囲のすき間に草が引っかかったり土がつまって反転止め部材の動きが悪くなることもない。
【０００５】
また、請求項２の発明に係る動力刈払機では、前記アーム部を上面において円軌道上に沿って湾曲して反回転方向に突出するようにしているので、例え上方に草，土が舞い込んできても刈刃保持盤の上面において反転止め部材のアーム部の湾曲に沿って反回転方向に流されて飛ばされるので、反転止め部材の周囲のすき間に草が引っかかったり土がつまったりすることがない。
【０００６】
【発明の実施の形態】
この発明の一実施の形態を図１〜図４について説明する。図１は動力刈払機の刈刃保持盤部分を分解して示す一部縦断側面図、図２は図１の上側盤を上からみた図、図３は図１の上側盤を下からみた図、図４は図１の下側盤を上からみた図である。
【０００７】
図において、１は動力刈払機の出力軸、２は出力軸１にナット３により着脱可能に装着される刈刃保持盤の上側盤、４は上側盤２の合着盤面（下面）の円軌道上に配置した３個の係合部材の爪部、５は係止爪部５ａとこれを先端で支持するアーム部５ｂとからなりかつ上側盤２の上方から操作できるように上側盤２の上面に設けられた反転止め部材、６は刈刃保持盤の下側盤、７は下側盤６に巻収したナイロンコード、８は下側盤６の合着盤面（上面）の円軌道上に配置した３個の係止部で、内周側には係合部材の爪部４を係止するための回転方向の位置決め部８ａ及び軸方向への抜止め部８ｂを有すると共に外周側には反転止め部材５の係止爪部５ａの反転を阻止する突起部８ｃとを有している。
【０００８】
図１の分解状態において、出力軸１に上側盤２をはめ込んでナット３により固定する。この上側盤２に下側盤６を合着させて下側盤６に対して上側盤２が「ＬＯＣＫ」方向に回転するように両盤２，６の一方を回すと、係合部材の爪部４及び反転止め部材５がそれぞれ係止部８に係合し、下側盤６が上側盤２に合体される。
【０００９】
この組立状態では、係合部材の爪部４が係止部８の位置決め部８ａにより回転方向の位置決めがなされると共に抜止め部８ｂにより軸方向への抜止めがなされ、さらに反転止め部材５の係止爪部５ａが突起部８ｃにより反転が阻止されるので、上側盤２に対して下側盤６が強固に合体されて十分な回転力の伝達が行えるようになっている。
【００１０】
下側盤６を上側盤２から外すときには、反転止め部材５の係止爪部５ａの部分を押して下側盤６に対して上側盤２が「ＰＵＳＨ−ＵＮＬＯＣＫ」方向に回転するように両盤２，６の一方を回すと、係止爪部５ａがアーム部５ｂのたわみにより突起部８ｃを乗り越え，下側盤６が上側盤２から外れる。
【００１１】
本機の作業中は反転止め部材５が刈刃保持盤の上面に位置するので、刈刃保持盤の外周側面や下面に位置するのに比べ、反転止め部材５に石が当たって破損したり，こすれて摩耗して破損したりすることがない。
【００１２】
上記実施の形態に示すように反転止め部材５のアーム部５ｂを上側盤２の上面において円軌道上に沿って湾曲して反回転方向に突出するようにしておくと、草，土が上方に舞い込んできても、上側盤２の上面においてアーム部５ｂの湾曲に沿って回転方向に流されて飛ばされるので、反転止め部材５の周囲のすき間に草が引っかかったり土がつまったりすることがない。
【００１３】
以上の説明では３個の係合部材を示したがその長さによっては１個〜数個と数に限定されるものではないし、またナイロンコード７に限らず広く刈刃であれば形状，材質を問わないことは勿論である。
【００１４】
【発明の効果】
以上のように、請求項１の発明によれば反転止め部材を刈刃保持盤の上面に配置したので、作業中に石が当たって反転止め部材が破損したり，こすれて摩耗して破損したりするのを防ぐと共に、反転止め部材の周囲のすき間に草が引っかかったり土がつまって反転止め部材の動きが悪くなることがないという効果が得られる。
【００１５】
また、請求項２の発明によれば例え上方に草，土が舞い込んできても刈刃保持盤の上面において反転止め部材のアーム部の湾曲に沿って反回転方向に流されて飛ばされるので、反転止め部材の周囲のすき間に草が引っかかったり土がつまったりすることがないという効果が得られる。
【図面の簡単な説明】
【図１】この発明の一実施の形態を示す要部の一部縦断側面図である。
【図２】図１の上側盤を上からみた図である。
【図３】図１の上側盤を下からみた図である。
【図４】図１の下側盤を上からみた図である。
【符号の説明】
１    動力刈払機の出力軸
２    刈刃保持盤の上側盤
４    係合部材の爪部
５    反転止め部材
５ａ  係止爪部
５ｂ  アーム部
６    刈刃保持盤の下側盤
７    ナイロンコード
８    係止部
８ａ  位置決め部
８ｂ  抜止め部
８ｃ  突起部
【図１】
0004829439.tif 000002
【図２】
0004829439.tif 000003
【図３】
0004829439.tif 000004
【図４】
0004829439.tif 000005